(57)【要約】【課題】    プール側壁へ着脱自在とする簡単な構造で安全に使用することができるスロープ出入路を設け、プール水へ車椅子のまま出入可能で、かつリハビリ歩行訓練に使用し易く区画した可動床構造で、さらに温水プールの保温性に配慮して、施設利用の機能性に優れた構造の可動床プールを提供する。【解決手段】    プール本体内壁面に沿って上下動する可動床をプール平面全体にわたって設け、プールサイドの一端側縁から該可動床上部へ至るスロープ出入路を設け、該スロープ出入路に沿ったコースロープ側で、かつスロープ出入路の下部への侵入を遮る境界位置の可動床上部にガイド手摺りを設ける。【選択図】  図１
2005105649.tif 000002
【特許請求の範囲】
【請求項１】
プール本体内壁面に沿って上下動する可動床をプール平面全体にわたって設け、プールサイドの一端側縁から該可動床上部へ至るスロープ出入路を設け、該スロープ出入路に沿ったコースロープ側で、かつスロープ出入路の下部への侵入を遮る境界位置の可動床上部にガイド手摺りを設けたことを特徴とする可動床プール。
【請求項２】
上記スロープ出入路の延長先方の可動床上部、及び上記スロープ出入路に沿ったガイド手摺りと隣接するコースロープとの間の可動床上部を区分けし、滑り難く歩き易い床面の歩行訓練用区域に形成したことを特徴とする請求項１記載の可動床プール。
【請求項３】
プール本体の隅角部近傍の内壁面に沿って架台を立設し、上記スロープ出入路は、その一方端縁を該架台の上端縁に脱離可能かつ回動自在にピン取付けし、他方端縁を上記可動床上面に擦動自在に載置し、かつ上記スロープ出入路の下面の複数箇所に、ガイドローラーを設けたことを特徴とする請求項１又は２記載の可動床プール。
【請求項４】
上記可動床は断熱保温構造に形成し、プール不使用時にはプール水面上の最高位置に保持して温水プールの水表面を覆って保温するように形成したことを特徴とする請求項１乃至３記載の可動床プール。
【発明の詳細な説明】
【技術分野】
【０００１】
この発明は、保温性に優れ歩行訓練や身体訓練などが可能な可動床を備えた可動床プールに関するものである。
【背景技術】
【０００２】
従来の歩行訓練や水中エアロビクス運動などを行うための水泳用プールには、本出願人に係る特開２００３−１６６３６０号（特許文献１参照）がある。
この発明の「水泳用プール」は、水泳用プールの片方側コースを幅広で水深略一定の床面として、プール水へ出入し易い腰掛出入部を設け、リハビリなどの身体訓練に適した構造にしたものである。
【０００３】
また、プール床を昇降可動床に形成し、このプール床に至るスロープを設けた特開２００２−４６１３号（特許文献２参照）の発明がある。
この「プール用のスロープ」は、上下いずれか一方の端部がプール縁或いはプール床に水平軸線の周りに枢動可能に軸支され、他方端部がプールへの入口又はプール床に掛けられるように形成したものである。
また、スロープの側縁より吊下し、プール床側端面に接触ないし接近するか、或いはプール床に形成されるスリットに嵌合する遮断手段を設けたものである。
【０００４】
【特許文献１】特開２００３−１６６３６０号
【特許文献２】特開２００２−００４６１３号
【発明の開示】
【発明が解決しようとする課題】
【０００５】
上記特許文献１の歩行訓練などを行うための「水泳用プール」は、片方側コースを幅広で水深略一定の緩やかで滑り難い床面としているが、水深が定まっているため大人や子供など身長に対応して水深を変えて使用することはできなかった。
また、プールへ出入し易い腰掛出入部を設けているが、車椅子利用者が車椅子のまま自由にプール水の中へ出入することはできなかった。
【０００６】
また、上記特許文献２「プール用のスロープ」は、可動床に対応した出入用スロープを設けたものであるが、車椅子を使用してリハビリ歩行訓練などを行うように配慮したものではなく、また出入用スロープに沿ったガイド手摺りを可動床に設け、このガイド手摺りと隣接するコースロープとで所要範囲を区画してリハビリ歩行訓練に利用できるようにしたものではなく、さらに可動床を利用して保温性を配慮した可動床プールではなかった。 
【０００７】
この発明の目的は、上述の従来技術が有する問題点に鑑みてなされたもので、プール側壁へ着脱自在とする簡単な構造で安全に使用することができるスロープ出入路を設け、プール水へ車椅子のまま出入可能で、かつリハビリ歩行訓練に使用し易く区画した可動床構造として、さらにこの可動床を水面まで上昇させることにより温水プールの保温性に配慮し、施設利用の機能性に優れた構造の可動床プールを提供するものである。
【課題を解決するための手段】
【０００８】
請求項１の発明に係る可動床プールは、プール本体内壁面に沿って上下動する可動床をプール平面全体にわたって設け、プールサイドの一端側縁から該可動床上部へ至るスロープ出入路を設け、該スロープ出入路に沿ったコースロープ側で、かつスロープ出入路の下部への侵入を遮る境界位置の可動床上部にガイド手摺りを設けたものである。
【０００９】
また、請求項２の発明に係る可動床プールは、上記スロープ出入路の延長先方の可動床上部、及び上記スロープ出入路に沿ったガイド手摺りと隣接するコースロープとの間の可動床上部を区分けし、滑り難く歩き易い床面の歩行訓練用区域に形成したものである。
【００１０】
また、請求項３の発明に係る可動床プールは、プール本体の隅角部近傍の内壁面に沿って架台を立設し、上記スロープ出入路は、その一方端縁を該架台の上端縁に脱離可能かつ回動自在にピン取付けし、他方端縁を上記可動床上面に擦動自在に載置し、さらに上記スロープ出入路の下面の複数箇所に、ガイドローラーを設けたものである。
【００１１】
また、請求項４の発明に係る可動床プールは、上記可動床は断熱保温構造に形成し、プール不使用時にはプール水面上の最高位置に保持して温水プールの水表面を覆って保温するように形成したものである。
【発明の効果】
【００１２】
請求項１の発明に係る可動床プールは、プール本体内壁面に沿って上下動する可動床をプール平面全体にわたって設け、プールサイドの一端側縁から該可動床上部へ至るスロープ出入路を設け、該スロープ出入路に沿ったコースロープ側で、かつスロープ出入路の下部への侵入を遮る境界位置の可動床上部にガイド手摺りを設けたので、スロープ出入路から車椅子のまま可動床プールへ出入することができ、ガイド手摺りに沿って案内され安全にリハビリ歩行訓練を行うことができる。
また、ガイド手摺りで遮られているため、スロープ出入路の下部へ人が侵入する恐れもなく安全性が確保される。
【００１３】
また、請求項２の発明に係る可動床プールは、上記スロープ出入路の延長先方の可動床上部、及び上記スロープ出入路に沿ったガイド手摺りと隣接するコースロープとの間の可動床上部を区分けし、滑り難く歩き易い床面の歩行訓練用区域に形成したので、水深を調整した歩き易い可動床上で、ガイド手摺りを伝わって安全に安心してリハビリ歩行訓練を行うことができる。
【００１４】
また、請求項３の発明に係る可動床プールは、プール本体の隅角部近傍の内壁面に沿って架台を立設し、上記スロープ出入路は、その一方端縁を該架台の上端縁に脱離可能かつ回動自在にピン取付けし、他方端縁を上記可動床上面に擦動自在に載置し、さらに上記スロープ出入路の下面の複数箇所に、ガイドローラーを設けたので、既設のプール本体にも簡単に架台を設けスロープ出入路を取付けることができ、スロープ出入路を使用しない時には簡単に取外しておくことも可能である。
そして、可動床がいかなる位置で荷重を受けてもまた揺動しても、スロープ出入路はガイドローラーで滑らかに擦動するため損傷する心配はない。
また、スロープ出入路を設置又は脱離する際には、ガイドローラーを使ってスロープ出入路を水平に抵抗なく楽に移動することができる。
【００１５】
請求項４の発明に係る可動床プールは、上記可動床は断熱保温構造に形成し、プール不使用時にはプール水面上の最高位置に保持して温水プールの水表面を覆って保温するように形成したので、温水プールを使用しない時には水面全体を覆って保温カバーに使用することができる。
さらに、スロープ出入路が邪魔になる場合には、スロープ出入路を簡単に取外して平坦状態にすることもできる。
【発明を実施するための最良の形態】
【００１６】
この発明に係る可動床プールの実施の形態について、図１乃至図４を参照して説明する。
図１は可動床プール全体の平面説明図であり、図２は図１のＡ−Ａ線部の縦断面説明図である。図３及び図４はスロープ出入路近傍及び可動床を示す側面説明図である。
【００１７】
プール本体１は、金属材料、合成樹脂材料、或いはコンクリート構造体などで形成する
。
図１の破線で示すように、可動床2はプール本体１の内壁面に沿って平面全体に設ける。この可動床２は、硬質塩ビなどの合成樹脂材とステンレス鋼材などの枠体などを用いて形成する。
【００１８】
プール本体１の一端側縁、隅角部近傍に架台４を設置する。この架台４の上端部にスロープ出入路３の一方端縁を固着し他方端縁を可動床2上に掛け渡し、プールサイド９から可動床２上へスロープ出入路３を使用して出入りするように形成する。７は、プール内を遊泳コースに区切るコースロープである。
【００１９】
このスロープ出入路３の側面に沿ったコースロープ７側で、スロープ出入路３下部への侵入を遮る境界位置の可動床２上部に、ガイド手摺り５を設置する。
そして図１の事例は、スロープ出入路３の先方に位置する可動床２上部に、複数の補助手摺り６を隔離して設置した場合を示す。この補助手摺り６は、可動床２取付部へ差込み挿脱する着脱自在構造に形成し、車椅子利用者の必要に応じて適宜取付けて使用する。
そして、上記スロープ出入路３の先方の範囲と、境界位置のガイド手摺り５と隣接するコースロープ７との間の可動床上部を区分けし歩行訓練用区域８に形成する。
この歩行訓練区域８の床面は、滑り止め加工、又は滑り止め塗装など表面処理するか、或いは保護シートを貼設するなどして床面を滑らないようにする。また、リハビリ歩行訓練者が安心して利用できるように、床面に歩行訓練区域８を明瞭にする着色塗装などを行って区分けする。
【００２０】
図２に示すように、プール本体１は、プールサイド９とプール側壁１０とプール底盤１１とからなり、プール本体１のプール水１２内部に可動床２を支持する。この可動床２は、昇降装置及び揺れ止め装置など（図示せず）を使って、垂直方向上下に昇降してプールの水深を変化させる。
プールサイド９から可動床２の上面へは、スロープ出入路３を使って出入する。１３はスロープ床面、１４はスロープ床面の上両側に立設したスロープ手摺りである。
スロープ床面１３は、車椅子の車輪が円滑に回転し凹凸のない平面でかつ滑らないように、ゴム材や合成樹脂材、或いは表面加工した金属板などで製作する。またスロープ手摺り１４は、滑らないように表面処理したステンレスパイプ材などで製作する。
【００２１】
上述のように構成することによって、リハビリ歩行訓練を行う車椅子利用者は、スロープ出入路３から車椅子のまま可動床２へ出入することができ、図１のようにスロープ出入路３の先方、延長線上に補助手摺り６を設けた場合には、その補助手摺り６は、車椅子を仮停め固定する支えに使用し、車椅子利用者は安心して車椅子から降りることができる。 次いで、車椅子から降りて、上記スロープ出入路３に沿った境界位置のガイド手摺り５を伝わり、あらかじめ水深が調整され、スロープ出入路３との境界を遮るガイド手摺り５と一般遊泳域を区切るコースロープ７との間の歩行訓練用区域８内の可動床２上で、安心してリハビリ歩行訓練を行うことができる。
【００２２】
図３は、可動床とスロープ出入路３を示す側断面説明図で、可動床２を水面１２より下方に位置させた状態を示す。
架台４は、ステンレス鋼やアルミニウム鋼の成形材などを組枠して組立て、プール側壁１０とプール底壁１１に埋設したアンカーボルトなどを利用して、プール壁面に着脱自在に取付ける。
スロープ出入路３は組枠材と平板材などで構築し、このスロープ出入路３の端縁を架台４の上端部の枠にピン取付部１５で固着する。このピン取付部１５は、差込みピンなどを用いて着脱自在構造に形成する。
１６はガイドローラーで、スロープ出入路３が滑らかに移動するように複数個所に設け
る。１７は渡し板で、スロープ出入路３と可動床２の間を平滑に連絡するように、軸を中心にして回動するヒンジの構造にして取付ける。
【００２３】
図４は、可動床２を最高水位近傍に上昇させた状態を示す。
温水プールの不使用時には、可動床２を最高水位の位置に保持してプール水表面を覆って保温する。この可動床２は、硬質塩ビなどの合成樹脂材料を用いた中空体、或いは中空内部に発泡ウレタンや発泡スチロールなどの断熱材料を充填した複合体と、ステンレス鋼材などの枠体等を用いてパネル構造体１９に形成する。また、図4に可動床２の一部を破断
して示すように、内部を区画して熱の対流移動を防止し、保温性能をさらに向上させる。 さらに、可動床２上面の適所に、必要に応じてプールカバー２０を掛け渡して保温する。図示のプールカバー２０は、プールサイド９と可動床２との間に設けた事例を示しているが、上下動を容易にするために設けてある可動床２の多数の孔又は隙間を覆う如く、可動床２上部に水面全体を覆うプールカバー２０を設ければ保温性能は格段に向上する。
なお、スロープ出入路３は、ピン取付部１５の脱離部１８から取外し可能に形成し、複数のガイドローラー１６を使用して水平に移動し撤去する。
【００２４】
上記のように、架台４はプール本体内壁面に立設するので、新設及び既設のプールに簡単に取付けることができる。
またスロープ出入路３は、その一方端縁を架台４の上端縁に回動自在かつ着脱自在にピン取付けし、他方端縁を可動床２上面に擦動自在に載置したので、ピン取付部１５に簡単かつ短時間に取付け、脱離部１８から取外して適宜使用することが可能となる。
【００２５】
また、スロープ出入路３の下面の複数箇所に隔離してガイドローラー１６を設けたので、スロープ出入路３が傾斜状態から上昇し略水平状態となるまでのいかなる高さ位置にあっても、スロープ出入路３上を車椅子で昇降する際の荷重変動による上下動や撓みを、ガイドローラー１６が円滑に下部の床面に伝えるので、可動床２が損傷することがない。
また、可動床２が上下動した場合やプール水の変化で揺動した場合に、ガイドローラー１６によってスロープ出入路３が滑らかに可動床２の上面を擦動するため、スロープ出入路３が捩れや無理な力を受けることなく損傷する心配がない。
【００２６】
さらにまた、プールを使用しない時には、上記可動床２を最高位置に保持し、さらにサポート支柱（図示せず）を可動床２に取付けるなどして、上面を平坦に覆って運動場床面に使用することが可能となる。
そして、架台４に脱離可能にピンで取付けたスロープ出入路３は、プールを使用しない時には邪魔にならないように脱離部１８から取外して保管することができる。
【産業上の利用可能性】
【００２７】
既設のプール側壁へ架台４を取付け、この架台４へスロープ出入路３を着脱自在に設置することができるため、既存の可動床プールを、出入し易く安心して利用可能なリハビリ歩行訓練を行う可動床プールに簡単に改造することができる。
また、可動床２でプール上面を覆うことにより温水プールの保温性能を向上し、省エネと経済性を図ることができる。
さらに、プール不使用時には、可動床２でプール上面を覆うとともにスロープ出入路３を取外して、上面を平坦な運動場の床面として一層の利用拡大を図ることも可能となる。
【図面の簡単な説明】
【００２８】
【図１】この発明に係る可動床プールの実施形態例を示す平面説明図である。
【図２】図１のＡ−Ａ線部における縦断面説明図である。
【図３】可動床とスロープ出入路を示す側断面説明図である。
【図４】図３に示す状態から、可動床が最高水位近傍に上昇した状態を示す側断面説明図である。
【符号の説明】
【００２９】
１  プール本体
２  可動床
３  スロープ出入路
４  架台
５  ガイド手摺り
６  補助手摺り
７  コースロープ
８  歩行訓練用区域
９  プールサイド
１０  プール側壁
１１  プール底盤
１２  プール水面
１３  スロープ床面
１４  スロープ手摺り
１５  ピン固定部
１６  ガイドローラー
１７  渡し板
１８  脱離部
１９  パネル構造体
２０  プールカバー
【図１】
2005105649.tif 000003
【図２】
2005105649.tif 000004
【図３】
2005105649.tif 000005
【図４】
2005105649.tif 000006